(57)【要約】      （修正有）【課題】ピックアップを光ディスクの最内周位置まで高速に移動させ、かつ、ピックアップ停止時に生ずる衝突音の発生を抑えたピックアップ駆動機構を提供する。【解決手段】光ピックアップ１００がＤＶＤ録画再生用ディスクの最内周の位置に移動した地点で、トラバースシャーシの壁部３０４と接触するピックアップ駆動機構において、光ピックアップ１００に駆動力を伝達する第一歯車２０１を軸支し、その第一歯車２０１の回転と連動する回転軸２０１ａを設ける。そして、その回転軸２０１ａに、一端３０１ａはトラバースシャーシに固定し、他端３０１ｂは壁部３０４から光ピックアップ１００の方向に突出したコイルスプリング３０１を巻装し、光ピックアップ１００がＤＶＤ録画再生用ディスクの最内周の位置に移動した際、光ピックアップ１００がコイルスプリングの他端３０１ｂを押圧し、コイルスプリング３０１が回転軸２０１ａを締付けるように構成した。【選択図】図４
2009181608.tif 000002
【特許請求の範囲】
【請求項１】
光ディスクを支持するトラバースシャーシと、
ラック部を備え、前記ラック部により、前記トラバースシャーシに支持された光ディスクの径方向への移動が可能とされ、光ディスクの記録情報を読み取るピックアップと、
前記ピックアップに設けられた前記ラック部と噛合するピニオンを含む、複数の歯車からなる歯車部と、
前記歯車部に設けられた前記複数の歯車に駆動力を付与するモータと、
前記モータの付与する駆動力により、前記ピックアップが光ディスクの内周方向に移動する場合、前記ピックアップが光ディスクの最内周の位置に移動した地点で前記ピックアップと接触する接触部と、  
を備えるピックアップ駆動機構において、
一端が前記トラバースシャーシに固定され、他端は前記接触部から前記ピックアップの方向に突出するコイルスプリングが、前記歯車部を構成する一の歯車の回転と連動する回転軸に巻装されており、
前記ピックアップが、前記モータの付与する駆動力により光ディスクの最内周の位置に移動した際に、当該ピックアップが前記コイルスプリングの前記他端を押圧して、前記コイルスプリングが前記回転軸を締付けるように構成したことを特徴とするピックアップ駆動機構。
【請求項２】
前記ピックアップの、前記コイルスプリングの前記他端と接触する面に、弾性部材を取り付けたことを特徴とする請求項１記載のピックアップ駆動機構。
【請求項３】
光ディスクを支持するトラバースシャーシと、
ラック部を備え、前記ラック部により、前記トラバースシャーシに支持された光ディスクの径方向への移動が可能とされ、ディスクの記録情報を読み取るピックアップと、
前記ピックアップに設けられた前記ラック部と噛合するピニオンを含む、複数の歯車からなる歯車部と、
前記歯車部に設けられた前記複数の歯車に駆動力を付与するモータと、
前記モータの付与する駆動力により、前記ピックアップが光ディスクの内周方向に移動する場合、前記ピックアップが光ディスクの最内周の位置に移動した地点で前記ピックアップと接触する接触部と、  
を含んだピックアップ駆動機構を備える電子機器において、
一端が前記トラバースシャーシに固定され、他端は前記接触部から前記ピックアップの方向に突出するコイルスプリングが、前記歯車部を構成する一の歯車の回転と連動する回転軸に巻装されており、
前記ピックアップの、前記コイルスプリングの前記他端と接触する面に、弾性部材を取り付け、
前記ピックアップが、前記モータの付与する駆動力により光ディスクの最内周の位置に移動した際に、当該ピックアップが前記コイルスプリングの前記他端を押圧して、前記コイルスプリングが前記回転軸を締付けるように構成したことを特徴とするピックアップ駆動機構を備える電子機器。
【発明の詳細な説明】
【技術分野】
【０００１】
本発明は、ピックアップ駆動機構及び電子機器に関する。
【背景技術】
【０００２】
従来、光ディスク読取装置において、ユーザの再生操作や録画操作に応じて光ディスクより信号を読み取るとき、始めにトラバースシャーシに設けられたピックアップを光ディスクの最内周位置まで移動させる必要があり、その最内周位置においてピックアップをトラバースシャーシ本体に衝突させることで、ピックアップを停止させるピックアップ駆動機構が知られている。
上記の場合、衝突によって急速にピックアップを停止させることが出来るので、衝突位置までピックアップを高速に移動させることが出来るが、ピックアップとトラバースシャーシ本体の衝突時に生ずる音により、光ディスク読取装置の静音性が問題となる場合がある。
【０００３】
ところで、ピックアップを停止又は減速させる手段としては、上記ピックアップとトラバースシャーシ本体の衝突には限られない。
【０００４】
例えば、光ヘッドに設けられたラックと螺合し、モータによって駆動する歯車列の少なくとも１つの歯車に、当該歯車を軸支する軸受けと、その軸受けを押圧する押圧部材を設け、モータで光ヘッドを加速した後、モータを停止させると同時に、当該押圧部材が回転する歯車を軸支する軸受けを押圧することで、光ヘッドを減速させることが出来るトラバース駆動機構装置が知られている（例えば、特許文献１参照）。
【特許文献１】特開平９−７３２０号公報
【発明の開示】
【発明が解決しようとする課題】
【０００５】
しかしながら、上記特許文献１に開示された技術では、押圧部材によって光ヘッドを停止させるために、モータ停止後、所定の押圧時間と停止位置までの距離が必要となり、この時間及び距離はモータの回転速度に比例して増大すると考えられるので、モータの回転速度をなるべく低速に制御しなければ、光ディスクの最内周位置で停止させられない。したがって、上記技術によるとモータの回転速度を低速にする必要があるので、静音性は問題とならないとも考えられるが、高速な光ヘッドの移動は実現できない。
【０００６】
本発明の課題は、ピックアップを光ディスクの最内周位置まで高速に移動させ、かつ、ピックアップ停止時に生ずる衝突音の発生を抑えたピックアップ駆動機構及び電子機器を提供することである。
【課題を解決するための手段】
【０００７】
上記課題を解決するため、請求項１に記載の発明は、
光ディスクを支持するトラバースシャーシと、
ラック部を備え、前記ラック部により、前記トラバースシャーシに支持された光ディスクの径方向への移動が可能とされ、光ディスクの記録情報を読み取るピックアップと、
前記ピックアップに設けられた前記ラック部と噛合するピニオンを含む、複数の歯車からなる歯車部と、
前記歯車部に設けられた前記複数の歯車に駆動力を付与するモータと、
前記モータの付与する駆動力により、前記ピックアップが光ディスクの内周方向に移動する場合、前記ピックアップが光ディスクの最内周の位置に移動した地点で前記ピックアップと接触する接触部と、  
を備えるピックアップ駆動機構において、
一端が前記トラバースシャーシに固定され、他端は前記接触部から前記ピックアップの方向に突出するコイルスプリングが、前記歯車部を構成する一の歯車の回転と連動する回転軸に巻装されており、
前記ピックアップが、前記モータの付与する駆動力により光ディスクの最内周の位置に移動した際に、当該ピックアップが前記コイルスプリングの前記他端を押圧して、前記コイルスプリングが前記回転軸を締付けるように構成したことを特徴とする。
【０００８】
請求項２に記載の発明は、請求項１記載のピックアップ駆動機構において、前記ピックアップの、前記コイルスプリングの前記他端と接触する面に、弾性部材を取り付けたことを特徴とする。
【０００９】
請求項３に記載の発明は、
光ディスクを支持するトラバースシャーシと、
ラック部を備え、前記ラック部により、前記トラバースシャーシに支持された光ディスクの径方向への移動が可能とされ、光ディスクの記録情報を読み取るピックアップと、
前記ピックアップに設けられた前記ラック部と噛合するピニオンを含む、複数の歯車からなる歯車部と、
前記歯車部に設けられた前記複数の歯車に駆動力を付与するモータと、
前記モータの付与する駆動力により、前記ピックアップが光ディスクの内周方向に移動する場合、前記ピックアップが光ディスクの最内周の位置に移動した地点で前記ピックアップと接触する接触部と、  
を含んだピックアップ駆動機構を備える電子機器において、
一端が前記トラバースシャーシに固定され、他端は前記接触部から前記ピックアップの方向に突出するコイルスプリングが、前記歯車部を構成する一の歯車の回転と連動する回転軸に巻装されており、
前記ピックアップの、前記コイルスプリングの前記他端と接触する面に、弾性部材を取り付け、
前記ピックアップが、前記モータの付与する駆動力により光ディスクの最内周の位置に移動した際に、当該ピックアップが前記コイルスプリングの前記他端を押圧して、前記コイルスプリングが前記回転軸を締付けるように構成したことを特徴とする。
【発明の効果】
【００１０】
本発明によれば、ピックアップが光ディスクの最内周の位置に移動した地点でピックアップと接触する接触部を備えたピックアップ駆動機構において、一端がトラバースシャーシに固定され、他端は接触部からピックアップの方向に突出するコイルスプリングが、歯車部を構成する一の歯車の回転と連動する回転軸に巻装されており、モータの付与する駆動力によりピックアップが光ディスクの最内周の位置に移動した際に、当該ピックアップがコイルスプリングの他端を押圧して、コイルスプリングが回転軸を締付けるように構成されている。
つまり、モータによりピックアップが高速に光ディスクの最内周の位置に移動し、ピックアップと接触部にて接触する時、ピックアップがコイルスプリングの突出した他端を押圧し、コイルスプリングが回転軸を締付けるので、回転軸を介して歯車部に制動力が作用するとともに、押圧された他端側のコイルスプリングによって、ピックアップの移動方向と逆向きの抗力がピックアップに対して作用し、コイルスプリングからピックアップ自体に直接制動力が作用することになる。したがって、コイルスプリングによって、歯車部及びピックアップに対する制動力が作用し、衝突は大幅に緩衝されるので、衝突音の発生も好適に抑えることができる。
よって、本発明は、ピックアップを光ディスク等の最内周位置まで高速に移動させ、かつ、ピックアップ停止時に生ずる衝突音の発生を抑えたピックアップ駆動機構といえる。
【発明を実施するための最良の形態】
【００１１】
以下、図を参照して、本発明に係るピックアップ駆動機構及び当該ピックアップ駆動機構を備える電子機器の具体的な態様を詳細に説明する。ただし、発明の範囲は、図示例に限定されない。
【００１２】
図１は、本発明を適用したピックアップ駆動機構部１を備えた電子機器として、例えばＤＶＤ録画再生機１０００を示す斜視図であり、図２は、ピックアップ駆動機構部１を示す斜視図であり、図３は、図２に示すピックアップ駆動機構部１におけるＡ部の下面側からの斜視図である。図４は、図３において、ラック部１０４を省略した状態を示す斜視図である。図５は、図４のＢ部について、光ピックアップ１００とトラバースシャーシ２が接触した状態を示す斜視図である。
なお、以下の説明では、トラバースシャーシ２の前後方向をＸ軸方向として、左右方向をＹ軸方向とし、上下方向をＺ軸方向とする。
【００１３】
図１に示すように、ＤＶＤ録画再生機１０００は、例えば、光ディスクとしてのＤＶＤ録画再生用ディスクを挿入する挿入口１００１と、挿入口を開閉する開閉ボタン１００２と、ユーザが録画操作や再生操作を行うボタンやスイッチ等を含む操作部１００３と、ＤＶＤ録画再生用ディスクの録画状態や再生状態等を表示する液晶表示部１００４と、等を含んで構成されている。
そして、このＤＶＤ録画再生機１０００の内部機構部として、ＤＶＤ録画再生用ディスクの録画再生機能を実行するためのピックアップ駆動機構部１が含まれている。
【００１４】
ピックアップ駆動機構部１は、図２から図４に示すように、例えば、ＤＶＤ録画再生機１０００の録画再生機能に応じてＤＶＤ録画再生用ディスクのディスク情報の読み取りや書き込みを行う機構であり、主に、ＤＶＤ録画再生用ディスクを支持するトラバースシャーシ２と、このトラバースシャーシ２に移動可能に支持される光ピックアップ１００と、この光ピックアップ１００の移動を案内する案内軸３と、案内軸３と対向して配置され光ピックアップ１００の移動をガイドするガイドレール部４と、ＤＶＤ録画再生用ディスクを回転させるスピンドルモータ５と、光ピックアップ１００を移動させる駆動力を付与する駆動モータ６と、この駆動モータ６から付与される駆動力を光ピックアップ１００に伝達する歯車部２００と、光ピックアップ１００の移動を止める制動部３００と、等を含んで構成されている。
【００１５】
トラバースシャーシ２は、外形が略矩形の板状体であり、トラバースシャーシ２を収容する本体シャーシとしてのメインシャーシ（図示省略）に昇降可能に支持されている。このトラバースシャーシ２には、トラバースシャーシ２に支持されたＤＶＤ録画再生用ディスクの径方向（Ｘ方向）に延在する案内軸３とガイドレール部４とが、光ピックアップ１００を挟んで対向配置されている。
【００１６】
案内軸３は、両端部がトラバースシャーシ２に固定されている。
ガイドレール部４は、一端がトラバースシャーシ２に固定されており、他端部４ａの下面に、Ｘ方向に延在する矩形の溝が設けられている。
【００１７】
光ピックアップ１００は、ピックアップ本体１０３と、案内軸３側のピックアップ本体１０３に設けられた軸受１０１と、ガイドレール部４側のピックアップ本体１０３に設けられた被ガイド部１０２と、案内軸３側であって軸受け１０１の下部に設けられたラック部１０４と、などを備えて構成され、ＤＶＤ録画再生機１０００の録画再生機能を実行する際、始めにスピンドルモータ５のターンテーブル５ａに載置されるＤＶＤ録画再生用ディスクの径方向（Ｘ方向）の最内周位置まで高速に移動し、その後、所定の径方向位置に移動することで、ＤＶＤ録画再生用ディスク内の情報を読み取る。
【００１８】
ピックアップ本体１０３には、光学レンズ（図示省略）等が設けられており、軸受１０１及び被ガイド部１０２によって、ＤＶＤ録画再生用ディスクの径方向（Ｘ方向）に移動して径方向位置を調整し、スピンドルモータ５の回転によりＤＶＤ録画再生用ディスクの周方向位置を調整することで、所定の位置のＤＶＤ録画再生用ディスク内の情報を、光学レンズを介して読み取ることが出来る。
【００１９】
軸受１０１には、案内軸３が貫通されており、軸受１０１は、下部に設けられたラック部１０４によって伝達された駆動力により軸方向（Ｘ方向）に移動可能となっている。
被ガイド部１０２は、一端がピックアップ本体１０３の上面に固定されており、他端がガイドレール部４の他端部４ａの上下面を把持し、その他端部４ａに設けられた溝に嵌合してガイドレール部４と当接している。
したがって、光ピックアップ１００は、軸受１０１及び被ガイド部１０２により、案内軸３とガイドレール部４に跨って支持されており、案内軸３を主軸として軸方向（Ｘ方向）に移動できる。
【００２０】
ラック部１０４は、軸受１０１の下部に設けられており、Ｙ方向の端部にＸ方向に沿ってラック歯が形成され、図３に示すように、後述のピニオンとしての第三歯車２０３と噛合し、駆動モータ６より第三歯車２０３を介して伝達される回転駆動力を、直線駆動力として受け取る。そして、ラック部１０４は、ラック歯を形成した端部間の距離が、ＤＶＤ録画再生用ディスクの径方向の端部（ＤＶＤ録画再生用ディスクの最内周位置と最外周位置）間の距離と等しく設定されており、光ピックアップ１００によるＤＶＤ録画再生用ディスクの径方向の端部間の移動を可能にしている。
【００２１】
スピンドルモータ５は、下面はトラバースシャーシ２に固定されており、上面にＤＶＤ録画再生用ディスクを載置するターンテーブル５ａを備え、ＤＶＤ録画再生機１０００の録画再生機能に応じて、その載置されたＤＶＤ録画再生用ディスクを回転駆動させる。
【００２２】
歯車部２００は、回転軸２０１ａに軸支された第一歯車２０１と、駆動モータ６に設けられたモータ歯車と噛合する第二歯車２０２と、ラック部１０４に設けられたラック歯と噛合するピニオンとしての第三歯車２０３と、第二歯車２０２及び第三歯車２０３を軸支する軸受２５０ａと、回転軸２０１ａ及び第一歯車２０１を軸支する軸受２５０ｂと、等を備えて構成される。
【００２３】
第三歯車２０３と、その上部（Ｚ方向）に設けられた第二歯車２０２は、同じ軸（図示省略）によって支持されており、さらに、この軸の第二歯車２０２の上部位置に、第一歯車２０１と噛合する歯車（図示省略）が支持されているため、この第一〜第三歯車は駆動モータ６のモータ歯車の回転に連動する。そして、第二歯車２０２及び第三歯車２０３を支持する軸の上端部はトラバースシャーシ２の軸受２５０ａによって支持されている。
【００２４】
回転軸２０１ａは、上端がトラバースシャーシ２に設けられた軸受２５０ｂによって支持され、第一歯車２０１を支持しており、その第一歯車２０１の回転と連動している。
【００２５】
駆動モータ６は、ピックアップ駆動機構部１の底面方向（正のＺ方向）に向けて駆動モータ６の回転に連動する駆動軸（図示省略）が突出しており、トラバースシャーシ２の駆動モータ軸受６９によって支持されている。その駆動軸には、歯車部２００の第二歯車２０２が設けられた高さ方向（Ｚ方向）位置に、その第二歯車２０２と噛合する歯車（図示省略）が支持されているので、駆動モータ６が回転すると、その回転による駆動力が第二歯車２０２に伝達される。
【００２６】
すなわち、駆動モータ６によって付与された駆動力は、まず、第二歯車２０２に伝達される。そして、この駆動力は、第二歯車２０２と同軸上にあるピニオンとしての第三歯車２０３を介して、ラック部１０４に直線の駆動力として伝達されるので、ラック部１０４を備えた光ピックアップ１００は、ＤＶＤ録画再生用ディスクの径方向（Ｘ方向）に移動可能となる。一方で、この駆動力は、第二歯車２０２と同軸上にあり、第一歯車２０１と噛合する歯車（図示省略）を介して、第一歯車２０１及び回転軸２０１ａにも伝達される。
【００２７】
制動部３００は、図３又は図４に示すように、回転軸２０１ａに巻装されるコイルスプリング３０１と、このコイルスプリング３０１の一端３０１ａをトラバースシャーシ２に固定するための固定部３０３と、光ピックアップ１００がＤＶＤ録画再生用ディスクの最内周位置まで移動した際の、光ピックアップ１００との接触部位である、トラバースシャーシ２の壁部３０４と、光ピックアップ１００側に存在する、壁部３０４との接触部位である突起部３１０と、等から構成されている。
【００２８】
固定部３０３は、トラバースシャーシ２の下面上に設けられており、トラバースシャーシ２の下面方向（Ｚ方向）に突出している。
壁部３０４は、光ピックアップ１００がＤＶＤ録画再生用ディスクの最内周位置まで移動した際に、光ピックアップ１００が内周方向（Ｘ方向）に更に進行するのを妨ぐように設けられている。
突起部３１０は、軸受１０１のＸ方向の端部壁面に突出して設けられており、例えば、ゴムやスポンジなどの弾性部材で形成されており、トラバースシャーシ２と光ピックアップ１００の接触による衝撃を緩衝するので、その衝撃により生ずる衝撃音を低減することが出来る。
【００２９】
コイルスプリング３０１は、一端３０１ａは固定部３０３によって固定されており、他端３０１ｂは、壁部３０４から光ピックアップ１００の方向（負のＸ方向）に突出して設けられている。
【００３０】
次いで、上記構成からなるピックアップ駆動機構部１において、ユーザがＤＶＤ録画再生機１０００の録画操作や再生操作を行い、光ピックアップ１００がＤＶＤ録画再生用ディスクの最内周位置まで移動し、トラバースシャーシ２に接触する時の動作を、図４及び図５を用いて説明する。
まず、ＤＶＤ録画再生機１０００の録画操作や再生操作による操作信号を受けると、駆動モータ６が所定の回転速度で回転し駆動力を発生させる。その駆動モータ６による駆動力は、駆動モータ６の歯車部２００との噛合により、第一歯車２０１及び回転軸２０１ａに伝達され、一方で、光ピックアップ１００のラック部１０４にも伝達されるので、光ピックアップ１００がＤＶＤ録画再生用ディスクの径内周方向（Ｘ方向）に移動する。
そして、光ピックアップ１００がＤＶＤ録画再生用ディスクの最内周の位置の直前に到達すると、光ピックアップ１００の突起部３１０と、コイルスプリング３０１の他端３０１ｂが接触する。
この接触時に、光ピックアップ１００の突起部３１０がトラバースシャーシ２の前面方向（正のＸ方向）にコイルスプリング３０１の他端３０１ｂを押圧し、コイルスプリング３０１がトラバースシャーシ２の前面方向に押付けられ、コイルスプリング３０１の回転軸２０１ａに巻回された部分が回転軸２０１ａを締付けるので、回転軸２０１ａ（及びその回転軸２０１ａを含む歯車部２００）に制動力が作用する。また、押圧されたコイルスプリング３０１の他端３０１ｂは、光ピックアップ１００が押圧する方向とは反対向き（負のＸ方向）に、光ピックアップ１００に対して抗力を及ぼすので、光ピックアップ１００にも制動力が作用する。その後、ピックアップ１００の突起部３１０は、トラバースシャーシ２の壁部３０４と接触してＤＶＤ録画再生用ディスクの最内周の位置にて停止する。
したがって、光ピックアップ１００とトラバースシャーシ２が接触する際、コイルスプリング３０１によって、歯車部２００及び光ピックアップ１００に対する制動力が作用し、衝突は大幅に緩衝されるので、光ピックアップ１００がＤＶＤ録画再生用ディスクの最内周位置まで高速に移動し、かつ、衝突音の発生も好適に抑えることができる。
また、弾性部材で形成された突起部３１０による衝突の緩衝効果も同時に得られるので、一層衝突音の発生を抑えることができる。
【００３１】
このように、本発明に係るピックアップ駆動機構部１及びＤＶＤ録画再生機１０００において、回転軸２０１ａに巻装されたコイルスプリング３０１は、シーク動作時に、歯車部２００と光ピックアップ１００の両方に対して制動力を及ぼし、光ピックアップ１００とトラバースシャーシ２の接触による衝突を大幅に緩衝する。
従って、ピックアップ駆動機構部１は、光ピックアップ１００を高速にＤＶＤ録画再生用ディスクの最内周の位置に移動させ、光ピックアップ１００と壁部３０４にて接触する時、光ピックアップ１００がコイルスプリング３０１の突出した他端３０１ｂを押圧し、コイルスプリング３０１が回転軸２０１ａを締付けるので、光ピックアップ１００が壁部３０４に衝突する際の衝突音を抑えることができる。
また、突起部３１０を弾性部材で形成することにより、衝突の緩衝効果をさらに高めることが出来る。
そして、このピックアップ駆動機構部１を備えたＤＶＤ録画再生機１０００は、高速なディスク読み取り機能を確保及び静音性の向上を実現することが出来る。
【００３２】
なお、本発明に係る電子機器はＤＶＤ録画再生機１０００に限られるものではなく、ピックアップ駆動機構を備え、光ディスクを読み取る機器であれば適宜変更可能である。
【図面の簡単な説明】
【００３３】
【図１】本発明を適用したピックアップ駆動機構を備えた電子機器を示す斜視図である。
【図２】本発明を適用したピックアップ駆動機構を示す斜視図である。
【図３】図２におけるピックアップ駆動機構のＡ部の下面側からの斜視図である。
【図４】図３におけるラック部を省略した状態を示す斜視図である。
【図５】図４のＢ部において、ピックアップとトラバースシャーシが接触した状態を示す斜視図である。
【符号の説明】
【００３４】
１        ピックアップ駆動機構部
２        トラバースシャーシ
３        案内軸
６        駆動モータ（モータ）
１００    光ピックアップ（ピックアップ）
１０３    ピックアップ本体
１０４    ラック部
２００    歯車部
２０１    第一歯車
２０１ａ  回転軸
２０３    第三歯車（ピニオン）
３００    制動部
３０１    コイルスプリング
３０３    固定部
３０４    壁部（接触部）
３１０    突起部（弾性部材）
１０００  ＤＶＤ録画再生機
【図１】
2009181608.tif 000003
【図２】
2009181608.tif 000004
【図３】
2009181608.tif 000005
【図４】
2009181608.tif 000006
【図５】
2009181608.tif 000007